(57)【要約】【課題】  スペーシング量を制御することによってメディアの高い走行耐久性と高記録密度化を達成することができる記録再生方法および記録再生装置の提供。【解決手段】  メディアおよび前記記録再生用ヘッドまたはスペーシング量測定用ヘッドのいずれか一方を透明に構成し、透明な側からメディアと前記記録再生用ヘッドの当接部に光を照射することによって測定されるスペーシング量を２０〜８０ｎｍとする。【選択図】      図１
2005251284.tif 000002
【特許請求の範囲】
【請求項１】
メディアに当接または近接させた記録再生用ヘッドによって、前記メディアに情報を記録または前記メディアに記録された情報を再生する記録再生方法であって、
前記メディアおよび前記記録再生用ヘッドのいずれか一方を透明に構成し、前記メディアまたは前記記録再生用ヘッドのうち透明な側から前記メディアと前記記録再生用ヘッドの当接部に光を照射することによって前記当接部に生じる干渉縞の最大光強度部分を０次の明環部とし、かつ前記干渉縞の最小光強度部分を０次の暗環部として、下記式（１）で表わされる、前記メディアと前記記録再生用ヘッドの間のスペーシング量Ｘを２０〜８０ｎｍとすることを特徴とする記録再生方法。
Ｘ＝（λ／４π）×ＣＯＳ-1〔[２／(Ｐ−Ｖ)]×[(Ｐ＋Ｖ)／２−Ｙ]〕  （１）
Ｙ：光強度
Ｐ：０次明環部の光強度
Ｖ：０次暗環部の光強度
λ：当接部に照射する光の波長
【請求項２】
メディアに当接または近接させた記録再生用ヘッドによって、前記メディアに情報を記録または前記メディアに記録された情報を再生する記録再生方法であって、
前記メディアに対する当接または近接状態が、前記記録再生用ヘッドと等価となる位置にスペーシング量測定用ヘッドを配設し、
前記メディアおよび前記スペーシング量測定用ヘッドのいずれか一方を透明に構成し、前記メディアまたは前記スペーシング量測定用ヘッドのうち透明な側から前記メディアと前記スペーシング量測定用ヘッドの当接部に光を照射することによって前記当接部に生じる干渉縞の最大光強度部分を０次の明環部とし、かつ前記干渉縞の最小光強度部分を０次の暗環部として、下記式（１）で表わされる、前記メディアと前記スペーシング量測定用ヘッドの間のスペーシング量Ｘを２０〜８０ｎｍとすることを特徴とする記録再生方法。
Ｘ＝（λ／４π）×ＣＯＳ-1〔[２／(Ｐ−Ｖ)]×[(Ｐ＋Ｖ)／２−Ｙ]〕  （１）
Ｙ：光強度
Ｐ：０次明環部の光強度
Ｖ：０次暗環部の光強度
λ：当接部に照射する光の波長
【請求項３】
メディアを当接または近接させて、前記メディアに情報を記録または前記メディアに記録された情報を読み取る記録再生用ヘッドを備える記録再生装置であって、
前記メディアおよび前記記録再生用ヘッドのいずれか一方を透明に構成し、前記メディアまたは前記記録再生用ヘッドのうちの透明な側に設けられたスペーシング量測定装置から前記メディアと前記記録再生用ヘッドの当接部に光を照射することによって前記当接部に生じる干渉縞の最大光強度部分を０次の明環部とし、かつ前記干渉縞の最小光強度部分を０次の暗環部として、下記式（１）で求められる、前記メディアと前記記録再生用ヘッドの間のスペーシング量Ｘが２０〜８０ｎｍであることを特徴とする記録再生装置。
Ｘ＝（λ／４π）×ＣＯＳ-1〔[２／(Ｐ−Ｖ)]×[(Ｐ＋Ｖ)／２−Ｙ]〕  （１）
Ｙ：光強度
Ｐ：０次明環部の光強度
Ｖ：０次暗環部の光強度
λ：当接部に照射する光の波長
【請求項４】
メディアを当接または近接させて、前記メディアに情報を記録または前記メディアに記録された情報を再生する記録再生用ヘッドを備える記録再生装置であって、
前記メディアに対する当接または近接状態が、前記記録再生用ヘッドと等価となる位置に配設されたスペーシング量測定用ヘッドを備え、
前記メディアおよびスペーシング量測定用ヘッドのいずれか一方を透明に構成し、前記メディアまたはスペーシング量測定用ヘッドのうち透明な側に設けられたスペーシング量測定装置から前記メディアと前記スペーシング量測定用ヘッドの当接部に光を照射することによって前記当接部に生じる干渉縞の最大光強度部分を０次の明環部とし、かつ前記干渉縞の最小光強度部分を０次の暗環部として、下記式（１）で求められる、前記メディアと前記スペーシング量測定用ヘッドの間のスペーシング量Ｘが２０〜８０ｎｍであることを特徴とする記録再生装置。
Ｘ＝（λ／４π）×ＣＯＳ-1〔[２／(Ｐ−Ｖ)]×[(Ｐ＋Ｖ)／２−Ｙ]〕  （１）
Ｙ：光強度
Ｐ：０次明環部の光強度
Ｖ：０次暗環部の光強度
λ：当接部に照射する光の波長
【発明の詳細な説明】
【技術分野】
【０００１】
本発明は、記録再生方法および記録再生装置に関し、特に、高密度記録に適した記録再生方法および記録再生装置に関する。
【背景技術】
【０００２】
近年、ブロードバンドネットワークやデジタル放送の普及、また、インターネットを介した情報流通の高度化および発展に伴って、情報通信機器が取り扱うデータ量は急速に増大している。そのため、データを記録して保存し、必要なときに記録を再生する記録媒体においても、さらなる高密度記録化が求められている。例えば、業務用、民生用分野での情報記録用、データストレージのバックアップ用などの広い分野で使われている磁気記録媒体および磁気記録再生装置においても、データを保存するストレージ装置の大容量化に対する要求に応えるため、高密度記録化のための各種技術の提案および実用化が進められている。
【０００３】
高密度記録化の技術として、例えば、磁気テープおよび磁気ディスクの再生用ヘッドとしてＡＭＲへッド（Ａｎｉｓｏｔｒｏｐｉｃ  Ｍａｇｎｅｔｏ−Ｒｅｓｉｓｔｉｖｅ  ｈｅａｄ）、ＧＭＲヘッド（Ｇｉａｎｔ  Ｍａｇｎｅｔｏ−Ｒｅｓｉｓｔｉｖｅ  ｈｅａｄ）が開発され、また、高密度記録再生のための信号処理方式としてＰＲＭＬ（Ｐａｒｔｉａｌ  Ｒｅｓｐｏｎｓｅ  Ｍａｘｉｍｕｍ  Ｌｉｋｅｌｉｈｏｏｄ）が導入されている。
【０００４】
また、記録媒体と、記録再生ヘッドとの間の当接状態または近接状態は、記録再生ヘッドによる書き込みおよび読み取り性能に大きな影響を与え、記録媒体の高密度記録化に伴って益々重要になってきている。例えば、磁気記録媒体としての磁気テープは、一般に、送出リールから送り出され、巻取リールで巻き取られるまでの間に磁気テープを磁気ヘッドと摺接させ、走行する磁気テープが磁気ヘッドの位置を通過する際に、双方間で記録・再生信号の伝達を行うが、記録媒体に記録されている情報の読み取り、および記録媒体への情報の書き込みに際して、記録媒体と記録・読み取りヘッドとのスペーシング量は、高記録密度化に伴ってより高精度に制御することが必要となる。このスペーシングは、データの転送速度を大きくするために磁気テープの走行速度を速く（例えば１ｍ／ｓｅｃ以上）すると、磁気テープ近傍に生じる高速空気流によって磁気テープと磁気ヘッドの間に生じる。そして、磁気テープのベースの特性によるうねりや、磁気テープの張力、磁気テープのリールの回転系、磁気テープの走行を案内するガイドローラなどからなる走行系、磁気テープ表面の凹凸など種々の要因が影響していると推測される。
【０００５】
このスペーシング量が大きくなると、記録・再生の効率が低下してエラーレートが増加し、所期の記録密度でデータの記録・読み取りを行うことが困難となる。そこで、スペーシング量を小さく抑えるために、磁気ヘッドを磁気テープに強く押圧して磁気記録媒体と磁気ヘッドの接触量を多くすることが考えられるが、押圧力を大きくすると磁気ヘッドの摩耗が早く、かつ、磁気テープのダメージも大きくなるため、磁気テープからの再生出力の低下、また、磁気ヘッドもしくは磁気テープへの汚れの付着が生じ、磁気テープの走行耐久性が劣化する。
【０００６】
そこで、磁気テープと磁気ヘッドの間のスペーシング量を正確に測定し、そのスペーシング量を適正な範囲として記録および再生を行なえば、高い記録密度を保ちながら、再生出力の低下が少なく、また、磁気テープおよび磁気ヘッドの双方に汚れが付着するなどの障害を生じない高い走行耐久性を達成できることが期待される。
【０００７】
従来、スペーシング量を測定する方法として、実際のメディアと透明ダミーヘッド、または透明メディアと実際のヘッドとを組み合わせて、両者の摺動状態で生じる干渉縞によってスペーシング量を測定する方法があった（特許文献１参照）。また、干渉縞の光強度より計算してスペーシング量を定量化する方法もあった（特許文献２参照）。
【０００８】
しかし、前者の方法では、干渉縞の明暗によりスペーシング量の大小を定性的に判断することはできるが、正確にスペーシング量を測定することは困難であった。一方、後者の方法では、干渉縞の明環部と暗環部の光強度レベルの読み方によって、算出されるスペーシング量の値が大きく変化して、精度のよいデータが得られず、得られたスペーシング量に基づいて記録再生装置を適正に制御することが困難であった。
【特許文献１】特開平１１−１４４２１４号公報
【特許文献２】特開平１０−２６７６２３号公報
【発明の開示】
【発明が解決しようとする課題】
【０００９】
本発明の目的は、スペーシング量を制御することによってメディアの高い走行耐久性と高記録密度化を達成することができる記録再生方法および記録再生装置を提供することにある。
【課題を解決するための手段】
【００１０】
前記課題を解決するため、本発明は、メディアと、記録再生用ヘッドまたはスペーシング量測定用ヘッドとを当接して、前記メディアおよび前記記録再生用ヘッドまたはスペーシング量測定用ヘッドのいずれか一方を透明に構成し、前記メディアまたは前記記録再生用ヘッドもしくはスペーシング量測定用ヘッドのうち透明な側から前記メディアと前記記録再生用ヘッドの当接部に光を照射することによって前記当接部に生じる干渉縞の最大光強度部分を０次の明環部とし、かつ前記干渉縞の最小光強度部分を０次の暗環部として
下記式（１）から求められるスペーシング量Ｘを２０〜８０ｎｍとする記録再生方法および記録再生装置を提供する。
Ｘ＝（λ／４π）×ＣＯＳ-1〔[２／(Ｐ−Ｖ)]×[(Ｐ＋Ｖ)／２−Ｙ]〕  （１）
Ｙ：光強度
Ｐ：０次明環部の光強度
Ｖ：０次暗環部の光強度
λ：当接部に照射する光の波長
【００１１】
このように、スペーシング量が２０〜８０ｎｍの範囲に調整してメディアとヘッドを摺接させて記録再生を行うことによって、メディアの高記録密度化およびメディアの走行耐久性の向上を図ることができる。
【発明の効果】
【００１２】
本発明の記録再生方法および記録再生装置によれば、メディアの高記録密度化およびメディアの走行耐久性の向上を図ることができる。すなわち、高い記録密度を保ちながら、再生出力の低下が少なく、また、磁気テープおよび磁気ヘッドの双方に汚れが付着するなどの障害を生じないため高い走行耐久性を得ることができる。
【発明を実施するための最良の形態】
【００１３】
本発明の記録再生装置および記録再生方法は、メディアとヘッドとの間のスペーシング量を２０〜８０ｎｍ、好ましくは３０〜７０ｎｍに調整して、ヘッドによるメディアへの信号の書き込み、およびメディアに記録された信号をヘッドによって読み取るものである。スペーシング量が２０ｎｍ未満である場合および８０ｎｍを超える場合は、メディアとヘッドの摺接状態が適正とならないため、メディアに高密度に記録されたデータ信号をヘッドによって読み取ったり、また、ヘッドによってメディアに高密度にデータ信号を書き込んだりすることが困難となり、また、走行耐久性が低下する。このスペーシング量は、記録再生装置におけるヘッドとメディアとの相対的位置、ヘッドへのメディアの当接状態、あるいはメディアまたはヘッド自体の表面性状等によって調節することができる。
【００１４】
また、本発明において、メディアは、そのメディアに摺接または近接させたヘッドによって情報を含む信号が物理的または化学的変化として書き込まれ、あるいは記録された信号がヘッドによって読み取られるものである。このメディアとして、例えば、磁気テープ、磁気ディスク等の磁気記録メディア、光記録ディスク等が挙げられる。
【００１５】
次に、本発明の実施形態について、適宜図面を参照しながら詳細に説明する。以下の実施形態は、メディアとして磁気テープを用いる磁気記録再生装置および磁気記録再生方法について説明する。
図１は、本発明の第１実施形態に係る磁気記録再生装置１の主要構成を示す模式図、図２は、磁気テープ（メディア）と磁気ヘッドの間のスペーシング量を測定する方法を説明する概略斜視図、図３は、スペーシング量測定装置を構成する光学系を示す模式図である。
【００１６】
図１に示す磁気記録再生装置１は、磁気テープ２を送り出す送出リール３と、送り出された磁気テープ２を巻き取る巻取リール４と、磁気テープ２の走行方向を案内するガイドローラ５ａ，５ｂ，５ｃ，５ｄと、走行する磁気テープ２と摺接して記録・再生信号の読み取りおよび書き込みを行なう磁気ヘッド６と、磁気テープ２と磁気ヘッド６との間のスペーシング量を測定するためのスペーシング量測定装置７とを備える。
【００１７】
この磁気記録再生装置１では、図２に示すように、ガイドローラ５ａ，５ｂ，５ｃ，５ｄによって、走行方向が案内された磁気テープ２が、磁気ヘッド６に摺接される。そして、磁気テープ２のダミーとして透明テープ２ａを磁気ヘッド６に摺接させてスペーシング量の測定が行なわれる。磁気テープ２を記録再生装置に装填するに先だって、その磁気テープ２と剛性が同一の透明テープ２ａを記録再生装置に装填して、透明テープ２ａとヘッドとの間のスペーシング量を測定して、磁気テープ２と磁気ヘッド６の間のスペーシング量とする。
【００１８】
この磁気記録再生装置１において、スペーシング量測定装置７は、透明テープ２ａの側から磁気ヘッド６と透明テープ２ａの摺接部Ｃに、光Ｉを照射して摺接部Ａに生じる干渉縞によってスペーシング量を測定するものである。
図３は、スペーシング量測定装置７の構成例を示す。このスペーシング量測定装置は、光源８と、フィルタ９と、ビームスプリッタ１０と、反射鏡１１と、ＣＣＤカメラ１２とを備える。
【００１９】
光源８は、白色光Ｉ1を照射するものであり、例えば、ハロゲンランプにより構成される。また、光源８として、ナトリウムランプ、キセノンランプ等を用いてもよく、さらに、発光ダイオード、レーザー光を用いてもよい。
【００２０】
フィルタ９は、波長選択透過性を示す干渉フィルタにより構成され、光源８より出射された白色光Ｉ1を選択透過して、特定の波長範囲の光Ｉ2のみを出射するものである。ここで、フィルタ９は、測定するメディアとヘッドの間のスペーシング量によって干渉縞を形成することができる狭い波長範囲の光Ｉ2を選択透過するように構成される。干渉フィルタとしては、特定の波長の光を数ｎｍ〜数十ｎｍの帯域幅で出射することができるものであれば、特に限定されず、一般に市販されているものを用いることができる。
【００２１】
ビームスプリッタ１０は、フィルタ９より入射した光Ｉ2の光路を折り曲げて反射鏡１１に出射し（光Ｉ3）、反射鏡１１より入射する光Ｉ6を透過してＣＣＤカメラ１２に出射するものである（光Ｉ7）。なお、ビームスプリッタ１０の代わりにハーフミラーを用いてもよい。
【００２２】
反射鏡１１は、ビームスプリッタ１０より入射する光Ｉ3の光路を折り曲げて透明テープ２ａの背面より磁気ヘッド６に向けて光Ｉ4を照射するものである。
【００２３】
ここで、図４に示すように、光Ｉ4が照射された磁気ヘッド６の表面６ａと透明テープ２ａの表面２ｂにおいて、反射光ｒ１、ｒ２が発生する。そして、反射鏡１１から見てこれらの反射光ｒ１とｒ２の干渉により、図５に示すような干渉縞が発生する。この干渉縞を含む反射光ｒ１、ｒ２は、光Ｉ5として反射鏡１１に入射する。次に、反射鏡１１は、光Ｉ5の光路を折り曲げて光Ｉ6（反射光ｒ１、ｒ２）をビームスプリッタ１０に出射する。
【００２４】
ＣＣＤカメラ１２は、ビームスプリッタ１０より入射する光Ｉ7（反射光ｒ１、ｒ２）における干渉縞を撮像し、その光強度を測定するものである。
この干渉縞は、図５に示すように、まず、中央に０次の暗環部１３、その０次の暗環部１３を囲む０次の明環部１４を有するものとなる。そして、０次の暗環部１３は最小光強度部分を形成し、また、０次の明環部１４は最大光強度部分を形成する。このとき、フィルタ９を変えて選択透過光（光Ｉ2）の波長を変えても、測定される干渉縞における最大光強度部分と最小光強度部分とが、位置がずれずに同一の位置に現われれば、前記最小光強度部分と最大光強度部分がそれぞれ０次の暗環部および０次の明環部であることが確認できる。
【００２５】
そして、ＣＣＤカメラ１２によって撮像される、０次の暗環部１３および０次の明環部１４における光強度Ｙは、干渉条件を考慮すると、スペーシング量Ｘに対して下記式（ａ）で表される。これを、図示すると、図６に示すとおりとなる。なお、図６に示す光強度Ｙは、実際の光強度にバイアス（ＤＣオフセット量）を加えた値を示す。
【００２６】
Ｙ＝Ａ＋Ｂ×ＣＯＳ（４πＸ／λ−φ）          （ａ）
Ｙ：光強度
Ａ：ＤＣオフセット量
Ｂ：フリンジ変化量
Ｘ：スペーシング量
λ：摺接部に照射する光（フィルタ透過光：光Ｉ2）の波長
φ：テープ表面での反射光（光Ｉ5）の位相シフト量
ここで、今回のスペーシング量の測定ではφ＝πであり、０次の暗環部１３の光強度をＶ、０次の明環部１４の光強度をＰとすると、
Ｐ＝Ａ＋Ｂ、Ｖ＝Ａ−Ｂ
であるから、
Ｙ＝Ａ＋Ｂ×ＣＯＳ（４πＸ／λ−φ）＝Ａ−Ｂ×ＣＯＳ（４πＸ／λ）
（ｂ）
より
Ｙ＝（Ｐ＋Ｖ）／２−（Ｐ−Ｖ）／２×ＣＯＳ（４πＸ／λ）                                                                                （ｃ）
となり、スペーシング量Ｘは、
Ｘ＝（λ／４π）×ＣＯＳ-1〔[２／(Ｐ−Ｖ)]×[(Ｐ＋Ｖ)／２−Ｙ]〕                                                                        （ｄ）
となる。
【００２７】
前記の第１の実施形態では、磁気テープのダミーとして透明テープを用い、この透明テープを磁気ヘッドに摺接させて、透明テープと磁気ヘッドとの間のスペーシング量を測定する方法および装置について説明したが、本発明は、この形態に制限されず、磁気ヘッド側からスペーシング量を測定することもできる。例えば、磁気ヘッドを交換可能に構成し、その磁気ヘッドを透明ダミーヘッドに置き換え、その透明ダミーヘッドと磁気テープとの間のスペーシング量を測定する。そして、磁気テープの走行を案内するガイドローラ、磁気ヘッドと磁気テープの相対位置等を調整して、スペーシング量が前記範囲になるようにすることによって、メディアの高記録密度化およびメディアの走行耐久性の向上を図ることができる。
【００２８】
次に、本発明の第２の実施形態について説明する。
図７は、本発明の第２の実施形態に係る磁気記録再生装置１５の主要構成を示す模式図、図８は、スペーシング量測定装置を構成する光学系を示す模式図、図９は、磁気テープ（メディア）と透明ダミーヘッドの間のスペーシング量を測定する方法を説明する模式図である。
【００２９】
図７に示す磁気記録再生装置１５は、磁気テープ２を送り出す送出リール３と、送り出された磁気テープ２を巻き取る巻取リール４と、磁気テープ２の走行方向を案内するガイドローラ５ａ，５ｂ，５ｃ，５ｄと、走行する磁気テープ２と摺接して記録・再生信号の読み取りおよび書き込みを行なう磁気ヘッド６と、透明ダミーヘッド１６と、磁気テープ２と透明ダミーヘッド１６との間のスペーシング量を測定するためのスペーシング量測定装置７とを備える。透明ダミーヘッド１６は、磁気テープ２に対する当接または近接状態が、前記磁気ヘッド６と等価となる位置に配置されている。ここで、磁気テープ２に対する当接または近接状態が、前記磁気ヘッド６と等価となる位置とは、磁気ヘッド６と磁気テープの当接または近接状態と、透明ダミーヘッドと磁気テープ２の当接または近接状態が同じであり、これによって、ほぼ磁気ヘッド６と磁気テープ２との間と同じスペーシング量で透明ダミーヘッド１６が磁気テープ２に当接または近接していることであり、例えば、前記磁気記録再生装置１５においては、送出リール３と巻取リール４を挟んで両者から等距離となる直線を対称軸として磁気ヘッド６と透明ダミーヘッド１６とが左右対称となる位置である。
【００３０】
この磁気記録再生装置１５では、ガイドローラ５ａ，５ｂ，５ｃ，５ｄによって走行方向が案内された磁気テープ２が、透明ダミーヘッド１６と磁気ヘッド６に摺接されている。そして、磁気テープ２を透明ダミーヘッド１６に摺接させて、磁気テープ２と透明ダミーヘッド１６との間のスペーシング量の測定が行なわれる。
【００３１】
図８は、スペーシング量測定装置７の光学系を示し、光源８と、フィルタ９と、ビームスプリッタ１０と、反射鏡１１と、ＣＣＤカメラ１２とを備える。これらの光源等の構成要素は、前記第１の実施形態におけるスペーシング量測定装置７と同じであるので、説明を省略する。また、透明ダミーヘッド１６は、ガラス等の透明材料を加工して磁気ヘッド６と同一形状に作成される。
【００３２】
このスペーシング量測定装置７においては、図９に示すように、光Ｉ4が照射された透明ダミーヘッド１６の側面１６ａと磁気テープ２の表面２ａにおいて、反射光ｒ１、ｒ２が発生する。そして、反射鏡１１から見てこれらの反射光ｒ１とｒ２の干渉により、前記の図４に示すような干渉縞が発生する。この干渉縞を含む反射光ｒ１、ｒ２は、光Ｉ5として反射鏡１１に入射する。次に、反射鏡１１は、光Ｉ5の光路を折り曲げて光Ｉ6（反射光ｒ１、ｒ２）をビームスプリッタ１０に出射する。
【００３３】
ＣＣＤカメラ１２は、ビームスプリッタ１０より入射する光Ｉ7（反射光ｒ１、ｒ２）における干渉縞の像を撮像し、この干渉縞における０次の暗環部の光強度Ｖと、その０次の暗環部１３を囲む０次の明環部の光強度Ｐを測定する。そして、前記式（ｄ）に基づいて、スペーシング量を求めることができる。
【００３４】
この第２の実施形態において、測定されるスペーシング量が前記範囲になるように、磁気テープの走行を案内するガイドローラ、磁気ヘッドと磁気テープの相対位置等を調整することによって、メディアの高記録密度化およびメディアの走行耐久性の向上を図ることができる。
【００３５】
次に、本発明の第３の実施形態について説明する。
図１０は、本発明の第３の実施形態に係るヘリカルスキャン方式の磁気記録再生装置１７の主要構成を示す模式図、図１１は、磁気テープ（メディア）と磁気ヘッドの間のスペーシング量を測定する方法を説明する模式図である。
【００３６】
図１０に示す磁気記録再生装置１７は、送出リール（図示せず）と巻取りリール（図示せず）の間を走行する磁気テープ２と、磁気テープ２の走行方向を案内するガイドローラ２５ａ，２５ｂ，２５ｃ。２５ｄと、矢印Ｄ方向に回転しながら走行する磁気テープ２と摺接して記録・再生信号の読み取りおよび書き込みを行なうための磁気ヘッドを備える回転シリンダ１８とを備える。
【００３７】
回転シリンダ１８の周壁には、図１１に示すように、回転シリンダ１８の軸心を挟んで対向する位置に磁気ヘッド１９ａ、１９ｂが配置され、さらに、磁気ヘッド１９ａと磁気ヘッド１９ｂを結ぶ直線に対して直交する線上に透明ダミーヘッド２０が配置されている。これらの磁気ヘッド１９ａ，１９ｂと、透明ダミーヘッド２０は、その頂部が回転シリンダ１８の外周面から突出して磁気テープ２と摺接するように配設される。そして、回転シリンダ１８の軸心中央部には、磁気テープ２と透明ダミーヘッド２０との間のスペーシング量を測定するためのスペーシング量測定装置２７が設けられている。
【００３８】
この磁気記録再生装置１７においては、ガイドローラ２５ａ、ガイドピン２５ｂ、ガイドピン２５ｃ、およびガイドローラ２５ｄによって走行方向が案内された磁気テープ２が、磁気テープ２の走行方向に対して斜めに回転する回転シリンダ１８の外周面１８ａに螺旋状に摺接される。このとき、磁気ヘッド１９ａ，１９ｂは、回転シリンダ１８の回転とともに、磁気テープ２に摺接され、磁気テープ２に情報を含む信号を書き込み、また、磁気テープ２に記録された信号を読み取るものである。
【００３９】
そして、回転シリンダ１８の回転とともに、透明ダミーヘッド２０が磁気テープ２と摺接したときに、前記スペーシング量測定装置２７によって、磁気テープ２と透明ダミーヘッド２０との間のスペーシング量の測定が行なわれる。このとき、回転シリンダ１８の回転に同期して、透明ダミーヘッド２０と磁気テープ２が摺接するタイミングを見計らって、スペーシング量測定装置２７から透明ダミーヘッド２０と磁気テープ２との摺接部へ光を照射してスペーシング量を測定するようにしてもよい。
【００４０】
スペーシング量測定装置２７によるスペーシング量の測定は、前記第２の実施形態における光学系および測定方法と同様であるので、説明を省略する。
【００４１】
この磁気記録再生装置１７においては、磁気ヘッド１９ａ，１９ｂと磁気テープ２との摺接状態を、磁気テープの走行を案内するガイドローラ２５ａ、ガイドピン２５ｂ、ガイドピン２５ｃおよびガイドローラ２５ｄ、回転シリンダ１８と磁気テープ２の相対位置等を調整してスペーシング量を前記範囲にすることによって、メディアの高記録密度化およびメディアの走行耐久性の向上を図ることができる。
【００４２】
本発明において、メディア（磁気テープ２、透明テープ２ａ）とヘッド（磁気ヘッド６１９ａ，１９ｂ、透明ダミーヘッド１６）との間のスペーシング量を前記範囲に調整する方法としては、下記の方法が挙げられる。
（１）ヘッドと磁気テープとの摺接状態を、ガイドローラ、ヘッド、または回転シリンダと、磁気テープとの相互の位置関係を調整する。
（２）メディアに気体を吹き付けることによって、メディアをヘッドに向けて押圧して、メディアとヘッドとを当接させる。
（３）メディアが変形しない機械的押圧手段でヘッドに向けて押圧して、メディアとヘッドとを当接させる。
（４）ヘッドをメディアに向けて押圧する、またはヘッドをメディアに向けて押圧しながら傾けることにより、メディアとヘッドとを当接させる。
また、機械的押圧手段としては、柔らかいローラ（例えば、ゴム製ローラ、スポンジ製ローラ、樹脂製ローラ、繊維製ローラ等）などが挙げられる。
【００４３】
【実施例】
【００４４】
図７に概略構成を示す磁気記録再生装置を用いて、磁気テープの走行耐久性の評価および初期再生出力の測定を行った。
この装置において、磁気ヘッド６によって、磁気テープ２に記録された波長０．４０μｍの単一波形信号を再生して初期再生出力を測定し、透明ダミーヘッド１６と磁気テープ２との間のスペーシング量を測定した。このとき、スペーシング量の変化は、ヘッド突き出し量とテープ走行テンションを調整して行なった。
【００４５】
走行耐久性および初期再生出力は、下記の基準で評価した。
走行耐久性
磁気テープを、繰返し１００パス走行させたときに再生出力の低下が−６ｄＢ以内、ヘッドギャップ部に汚れがついていないものを○とした。
【００４６】
初期再生出力
磁気テープを１パスさせたときの平均出力を初期再生出力とした。磁気テープを標準走行系条件（ヘッドとテープのラップ角１０度、走行テンション１００ｇ）で走行させたときの再生出力レベルに対して−３．０ｄＢ以上を○とした。
【表１】
2005251284.tif 000003
【図面の簡単な説明】
【００４７】
【図１】本発明の第１の実施形態に係る磁気記録再生装置の主要構成を示す模式図である。
【図２】本発明の第１の実施形態に係るスペーシング量測定方法を説明する概念図である。
【図３】第１の実施形態におけるスペーシング量測定装置を構成する光学系を示す模式図である。
【図４】透明テープと磁気ヘッドにおける反射光の干渉を説明する模式図である。
【図５】ＣＣＤカメラによって撮像された干渉縞の像を示す概略図である。
【図６】干渉縞の０次の暗環部および０次の明環部における光強度とスペーシング量の関係を示すグラフである。
【図７】本発明の第２の実施形態に係る磁気記録再生装置の主要構成を示す模式図である。
【図８】第２の実施形態におけるスペーシング量測定装置を構成する光学系を示す模式図である。
【図９】磁気テープ（メディア）と透明ダミーヘッドにおける反射光の干渉を説明する模式図である。
【図１０】本発明の第３の実施形態に係るヘリカルスキャン方式の磁気記録再生装置の主要構成を示す模式図である。
【図１１】図１０は、図１０の磁気記録再生装置において、スペーシング量を測定する方法を説明する模式図である。
【符号の説明】
【００４８】
１      磁気記録再生装置
２      磁気テープ
２ａ    透明テープ
３      送出リール
４      巻取リール
５ａ    ガイドローラ
６      磁気ヘッド
７      スペーシング量測定装置
８      光源
９      フィルタ
１０    ビームスプリッタ
１１    反射鏡
１２    ＣＣＤカメラ
１３    ０次の暗環部（最小光強度部分）
１４    ０次の明環部（最大光強度部分）
１５    磁気記録再生装置
１６    透明ダミーヘッド
１７    磁気記録再生装置
１８    回転シリンダ
１９ａ  磁気ヘッド
１９ｂ  磁気ヘッド
２０    透明ダミーヘッド
２７    スペーシング量測定装置
【図１】
2005251284.tif 000004
【図２】
2005251284.tif 000005
【図３】
2005251284.tif 000006
【図４】
2005251284.tif 000007
【図５】
2005251284.tif 000008
【図６】
2005251284.tif 000009
【図７】
2005251284.tif 000010
【図８】
2005251284.tif 000011
【図９】
2005251284.tif 000012
【図１０】
2005251284.tif 000013
【図１１】
2005251284.tif 000014